(57)【要約】【課題】再生機器や記録メディア、データ形式に関する知識がないユーザであっても、容易に再生したいデータを目的の再生機器で再生できるようにする。【解決手段】本発明に係る情報変換装置１によれば、原稿メディアに記録されたデータに対して、再生機器の種類が選択されると、選択された機種の再生機器で再生可能な出力メディア及びデータ形式を特定し、特定されたデータ形式に変換して特定された出力メディア上に選択された機器の再生機器で再生可能なフォーマットで記録する。【選択図】  図２
2004289547.tif 000002
【特許請求の範囲】
【請求項１】
再生機器の機種情報を選択的に入力する選択入力手段と、
前記選択された機種の再生機器で再生しようとするデータを入力するデータ入力手段と、
前記データ入力手段により入力されたデータを、前記選択入力手段により入力された再生機器の機種情報に基づいて、前記選択された機種の再生機器で再生可能な形式に変換する変換手段と、
前記変換されたデータを前記選択された機種の再生機器で再生可能な記録媒体に記録する記録手段と、
を備えたことを特徴とする情報変換装置。
【請求項２】
複数種の記録媒体を貯蔵する貯蔵手段と、
前記選択入力手段により入力された再生機器の機種情報に基づいて、前記選択された機種の再生機器で再生可能な記録媒体の種類を特定する記録媒体特定手段と、
前記貯蔵手段に貯蔵された前記特定された種類の記録媒体を所定の装填位置に移動させる移動手段と、を備え、
前記記録手段は、前記移動手段により装填位置に移動された記録媒体に前記変換手段により変換されたデータを記録することを特徴とする請求項１に記載の情報変換装置。
【請求項３】
前記選択入力手段により入力された再生機器の機種情報に基づいて、前記選択された機種の再生機器で再生可能な記録媒体の種類を特定する記録媒体特定手段と、
前記特定された記録媒体の種類を告知する告知手段と、を備え、
前記記録手段は、前記特定された種類の記録媒体が所定の装填位置に装填された際に、前記装填された記録媒体に前記変換手段により変換されたデータを記録することを特徴とする請求項１に記載の情報変換装置。
【請求項４】
前記所定の装填位置に装填された記録媒体の種類が前記特定された記録媒体の種類と合致しているか否かを確認する記録媒体確認手段を備え、
前記告知手段は、前記記録媒体確認手段により前記所定の装填位置に装填された記録媒体の種類が前記特定された記録媒体の種類と合致していないことが確認された場合に告知を行うことを特徴とする請求項３に記載の情報変換装置。
【請求項５】
再生機器の機種情報を選択的に入力する工程と、
前記選択された機種の再生機器で再生しようとするデータを入力する工程と、
前記入力されたデータを、前記再生機器の機種情報に基づいて、前記選択された機種の再生機器で再生可能な形式に変換する工程と、
前記変換されたデータを前記選択された機種の再生機器で再生可能な記録媒体に記録する工程と、
を含むことを特徴とするデータ記録方法。
【請求項６】
前記入力された再生機器の機種情報に基づいて、前記選択された機種の再生機器で再生可能な記録媒体の種類を特定する工程と、
複数種の記録媒体を貯蔵する貯蔵手段から前記特定された種類の記録媒体を所定の装填位置に移動させる工程と、
前記装填位置に移動された記録媒体に前記変換されたデータを記録する工程と、
を含むことを特徴とする請求項５に記載のデータ記録方法。
【請求項７】
前記入力された再生機器の機種情報に基づいて、前記選択された機種の再生機器で再生可能な記録媒体の種類を特定する工程と、
前記特定された記録媒体の種類を告知する工程と、
前記特定された種類の記録媒体が所定の装填位置に装填された際に、前記装填された記録媒体に前記変換されたデータを記録する工程と、
を含むことを特徴とする請求項５に記載のデータ記録方法。
【請求項８】
前記所定の装填位置に装填された記録媒体の種類が前記特定された記録媒体の種類と合致しているか否かを確認する工程と、
前記所定の装填位置に装填された記録媒体の種類が前記特定された記録媒体の種類と合致していないことが確認された場合に告知を行う工程と、
を含むことを特徴とする請求項７に記載のデータ記録方法。
【発明の詳細な説明】
【０００１】
【発明の属する技術分野】
本発明は、入力されたデータのデータ形式を変換して記録メディアに記録する情報変換装置、データ記録方法に関する。
【０００２】
【従来の技術】
近年、デジタル化により様々な電子機器が市場に出現するようになり、様々な形式のデータが扱われている。そのため、再生機器によって再生可能な記録メディアの種類、データ形式、フォーマットが異なり、データの互換性の問題が生じている。
【０００３】
そこで、例えば、特許文献１には、ＤＶＤ（Ｄｉｇｉｔａｌ  Ｖｅｒｓａｔｉｌｅ  Ｄｉｓｋ）等の記録メディアにＭＰＥＧ（Ｍｏｖｉｎｇ  Ｐｉｃｔｕｒｅ  Ｅｘｐｅｒｔｓ  Ｇｒｏｕｐ）形式で圧縮された静止画像と同じ静止画像をＪＰＥＧ（Ｊｏｉｎｔ  Ｐｈｏｔｏｇｒａｐｈｉｃ  Ｅｘｐｅｒｔｓ  Ｇｒｏｕｐ）形式で圧縮して記録することにより、デジタルカメラやパソコン等のＪＰＥＧ形式の静止画像のみを再生可能とする再生機器で同様の静止画像を再生可能とする記録メディア、記録装置が開示されている。
【０００４】
【特許文献１】
特開２００１−２２３９８０号公報
【０００５】
【発明が解決しようとする課題】
しかしながら、特許文献１においては、上記記録メディアが再生可能な再生機器でなければ再生することができず、また、再生するデータの種類も限定される。
【０００６】
一般的に、ある機器で記録したデータを他の機器で再生するためには、再生可能な記録メディア上に再生可能な形式に変換して記録することが必要であるが、その方法は一意には決まらず、再生機器の機種やデータの種類等により異なる。これらの変換を行うには、記録メディアやデータ形式、フォーマット、変換する個別のソフトウエアの取り扱い方等多くの知識が必要となるため、一般のユーザが所望のデータを目的とする再生機器で再生可能にすることは困難である。
【０００７】
本発明の課題は、再生機器や記録メディア、データ形式に関する知識がないユーザであっても、容易に再生したいデータを目的の再生機器で再生できるようにすることである。
【０００８】
【課題を解決するための手段】
上記課題を解決するため、請求項１に記載の発明は、
再生機器の機種情報を選択的に入力する選択入力手段と、
前記選択された機種の再生機器で再生しようとするデータを入力するデータ入力手段と、
前記データ入力手段により入力されたデータを、前記選択入力手段により入力された再生機器の機種情報に基づいて、前記選択された機種の再生機器で再生可能な形式に変換する変換手段と、
前記変換されたデータを前記選択された機種の再生機器で再生可能な記録媒体に記録する記録手段と、
を備えたことを特徴としている。
【０００９】
請求項５に記載の発明のデータ記録方法は、
再生機器の機種情報を選択的に入力する工程と、
前記選択された機種の再生機器で再生しようとするデータを入力する工程と、
前記入力されたデータを、前記再生機器の機種情報に基づいて、前記選択された機種の再生機器で再生可能な形式に変換する工程と、
前記変換されたデータを前記選択された機種の再生機器で再生可能な記録媒体に記録する工程と、
を含むことを特徴としている。
【００１０】
請求項１、５に記載の発明によれば、再生機器の機種情報が選択的に入力され、選択された機種の再生機器で再生しようとするデータが入力されると、入力されたデータを、再生機器の機種情報に基づいて、選択された機種の再生機器で再生可能な形式に変換し、変換されたデータを選択された機種の再生機器で再生可能な記録媒体に記録する。従って、再生機器や記録メディア、データ形式に関する知識のないユーザであっても、再生したいデータを容易に目的の再生機器で再生できるようになる。
【００１１】
請求項２に記載の発明は、請求項１に記載の発明において、
複数種の記録媒体を貯蔵する貯蔵手段と、
前記選択入力手段により入力された再生機器の機種情報に基づいて、前記選択された機種の再生機器で再生可能な記録媒体の種類を特定する記録媒体特定手段と、
前記貯蔵手段に貯蔵された前記特定された種類の記録媒体を所定の装填位置に移動させる移動手段と、を備え、
前記記録手段は、前記移動手段により装填位置に移動された記録媒体に前記変換手段により変換されたデータを記録することを特徴としている。
【００１２】
請求項６に記載の発明は、請求項５に記載の発明において、
前記入力された再生機器の機種情報に基づいて、前記選択された機種の再生機器で再生可能な記録媒体の種類を特定する工程と、
複数種の記録媒体を貯蔵する貯蔵手段から前記特定された種類の記録媒体を所定の装填位置に移動させる工程と、
前記装填位置に移動された記録媒体に前記変換されたデータを記録する工程と、
を含むことを特徴としている。
【００１３】
請求項２、６に記載の発明によれば、選択的に入力された再生機器の機種情報に基づいて、選択された機種の再生機器で再生可能な記録媒体の種類を特定し、複数種の記録媒体を貯蔵する貯蔵手段から特定された種類の記録媒体を所定の装填位置に移動させ、その記録媒体に選択された機種の再生機器で再生可能な形式に変換されたデータを記録する。従って、再生したいデータが目的の再生機器で再生できる記録済みメディアを提供することができる。
【００１４】
請求項３に記載の発明は、請求項１に記載の発明において、
前記選択入力手段により入力された再生機器の機種情報に基づいて、前記選択された機種の再生機器で再生可能な記録媒体の種類を特定する記録媒体特定手段と、
前記特定された記録媒体の種類を告知する告知手段と、を備え、
前記記録手段は、前記特定された種類の記録媒体が所定の装填位置に装填された際に、前記装填された記録媒体に前記変換手段により変換されたデータを記録することを特徴としている。
【００１５】
請求項７に記載の発明は、請求項５に記載の発明において、
前記入力された再生機器の機種情報に基づいて、前記選択された機種の再生機器で再生可能な記録媒体の種類を特定する工程と、
前記特定された記録媒体の種類を告知する工程と、
前記特定された種類の記録媒体が所定の装填位置に装填された際に、前記装填された記録媒体に前記変換されたデータを記録する工程と、
を含むことを特徴としている。
【００１６】
請求項３、７に記載の発明によれば、選択的に入力された再生機器の機種情報に基づいて、選択された機種の再生機器で再生可能な記録媒体の種類を特定し、特定された記録媒体の種類を告知し、特定された記録媒体が所定の装填位置に装填された際に、その記録媒体に選択された機種の再生機器で再生可能な形式に変換されたデータを記録する。従って、情報変換装置で各種記録メディアを貯蔵していなくとも、ユーザに、再生したいデータが目的の再生機器で再生できる記録済みメディアを提供することができる。
【００１７】
請求項４に記載の発明は、請求項３に記載の発明において、
前記所定の装填位置に装填された記録媒体の種類が前記特定された記録媒体の種類と合致しているか否かを確認する記録媒体確認手段を備え、
前記告知手段は、前記記録媒体確認手段により前記所定の装填位置に装填された記録媒体の種類が前記特定された記録媒体の種類と合致していないことが確認された場合に告知を行うことを特徴としている。
【００１８】
請求項８に記載の発明は、請求項７に記載の発明において、
前記所定の装填位置に装填された記録媒体の種類が前記特定された記録媒体の種類と合致しているか否かを確認する工程と、
前記所定の装填位置に装填された記録媒体の種類が前記特定された記録媒体の種類と合致していないことが確認された場合に告知を行う工程と、
を含むことを特徴としている。
【００１９】
請求項４、８に記載の発明によれば、所定の装填位置に装填された記録媒体の種類が特定された記録媒体の種類と合致しているか否かを確認し、合致していないことが確認された場合には告知を行う。従って、再生機器で再生不可能な記録メディアが誤って装填されていることをユーザに告知することができる。
【００２０】
【発明の実施の形態】
以下、図を参照して、本発明の実施の形態を詳細に説明する。
まず、構成を説明する。
図１に、本発明に係る情報変換装置１の外観を示す。図１に示すように、情報変換装置１には、表示パネル１５ａ、ディスク装填部１６ａ、メモリカードスロット１７ａ、金銭投入口２０ａ、メディア取り出し口２２等が設けられている。
【００２１】
情報変換装置１は、ディスク装填部１６ａに装填された記録メディア２又はメモリカードスロット１７ａに装填された記録メディア３に記録されているデータを読み出して、選択された機種の再生機器で再生可能なデータ形式に変換し、選択された機種の再生機器で再生可能なフォーマットで再生可能な記録メディアに記録して販売する装置である。情報変換装置１は、キオスク端末のように、街角等誰でも利用可能に設置されていることが望ましい。
【００２２】
図２に、情報変換装置１の機能的構成を示す。
図２に示すように、情報変換装置１は、ＣＰＵ１１、ＲＡＭ１２、記憶部１３、入力部１４、表示部１５、ディスクドライブ１６、メモリ接続部１７、記録メディア移動機構１８、記録メディア貯蔵部１９、金銭管理部２０、一時記憶領域２１等により構成され、各部はバスにより接続されている。
【００２３】
ＣＰＵ（Ｃｅｎｔｒａｌ  Ｐｒｏｃｅｓｓｉｎｇ  Ｕｎｉｔ）１１は、入力部１４からの入力信号により、記憶部１３に格納されているシステムプログラムや各種処理プログラムを読み出し、ＲＡＭ１２内のプログラム格納領域に展開し、展開したプログラムに従って情報変換装置１の各部の動作を集中制御する。また、読み出したプログラムに従って、後述するデータ変換処理を始めとする各種処理を実行する。
【００２４】
ＲＡＭ（Ｒａｎｄｏｍ  Ａｃｃｅｓｓ  Ｍｅｍｏｒｙ）１２は、ＣＰＵ１１により実行制御される各種処理において、記憶部１３から読み出された情報変換装置１で実行可能なシステムプログラム、各種処理プログラム、入力若しくは出力データ、及びパラメータ等の一時的な格納領域となる。
【００２５】
記憶部１３は、ＨＤＤ（Ｈａｒｄ  Ｄｉｓｃ  Ｄｒｉｖｅ）や不揮発性の半導体メモリ等により構成され、情報変換装置１に対応するシステムプログラム、及び該システムプログラム上で実行可能なデータ変換処理プログラムを始めとする各種処理プログラム、及びこれらのプログラムで処理されたデータ等を記憶する。
【００２６】
本実施の形態において、記憶部１３は、図２に示すように、再生機器の機種情報と、再生機器で再生可能な記録メディアの種類及びデータ形式を対応付けて記憶する再生機器対応メディア・データ形式テーブル１３１、変換が可能なデータ形式間の各種変換プログラムが記憶されているデータ形式変換プログラム格納部１３２を有して構成される。
【００２７】
図３に、再生機器対応メディア・データ形式テーブル１３１のデータ格納例を示す。図３に示すように、再生機器対応メディア・データ形式テーブル１３１は、再生機器の機種情報を表すデータ（例えば、ＤＶＤプレーヤー、ＶｉｄｅｏＣＤプレーヤー、Ｖｉｄｅｏゲーム機Ａ、Ｖｉｄｅｏゲーム機Ｂ、・・・）を格納する再生機器領域１３１ａと、各再生機器で再生可能なリムーバブル記録メディアの種類を表すデータ（例えば、ＤＶＤ−Ｒ、ＣＤ−Ｒ、・・・）を格納する記録メディア領域１３１ｂと、各再生機器で再生可能なデータ形式を表すデータ（例えば、ＤＶＤ−Ｖｉｄｅｏ形式、ＶｉｄｅｏＣＤ形式、・・・）を格納するデータ形式領域１３１ｃと、を有している。なお、ここでは各再生機器の機種で再生可能なデータ形式の例として動画データを示すが、静止画データ、オーディオデータ等、他のデータに関するデータも格納されている。
【００２８】
入力部１４は、カーソルキー、ＥＪＥＣＴキー等の各種機能キーを備えて構成され、押下操作されたキーの押下信号を入力信号としてＣＰＵ１１へ出力する。また、入力部１４は、表示部１５の表示画面を覆う透明なシートパネルに、指又は専用のスタイラスペンで触れることにより入力される位置情報を入力信号としてＣＰＵ１１に出力する、タッチパネルにより構成される。
【００２９】
表示部１５は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成される表示パネル１５ａであり、ＣＰＵ１１から入力される表示信号の指示に従って、表示画面上に画像データや各種情報等の表示を行う。
【００３０】
ディスクドライブ１６は、ディスク装填部１６ａ、光ピックアップ、ＤＳＰ、スピンドルモータ、送りモータ、ヘッドドライバ、記録ヘッド等により構成され、ＣＰＵ１１から入力される制御信号により、記録メディア２上の記録データを読み出してＣＰＵ１１に出力したり、ＣＰＵ１１から入力される制御信号に応じた磁場を記録メディア２に印加して、記録メディア２へのデータの書き込み（記録）を行ったりする。ディスクドライブ１６は、例えば、ディスク装填部１６ａに装填されたＤＶＤ、ＤＶＤ−Ｒ、ＤＶＤ−ＲＷ、ＤＶＤ−ＲＡＭ、ＣＤ、ＣＤ−Ｒ、ＣＤ−ＲＷ等の記録メディア２に対してデータの読み出し、書き込みを行う。
【００３１】
なお、ディスクドライブ１６としては、読み出し専用のドライブと書き込み（記録）専用のドライブを独立して１つずつ以上設けてもよいし、読み出し、書き込みの兼用ドライブを１つ又は複数設けてもよい。また、読み出し専用のドライブと、読み書き兼用のドライブを組み合わせることも可能である。また、それぞれのドライブに対応する記録メディアが完全に一致していてもよいし、それぞれのドライブに対応する記録メディアが別の種類であってもよい。また、書き込み用の記録メディアの種類毎にドライブを設けるようにしてもよい。例えば、ＤＶＤ−Ｒ用ドライブ、ＣＤ−Ｒ用ドライブを別々に設け、それぞれのドライブに応じた記録メディア移動機構１８、記録メディア貯蔵部１９を独立して構成するようにしてもよい。この場合、書き込み用として使用しないドライブに読み出しのための記録メディアを装填するようにするとより好ましい。
【００３２】
メモリ接続部１７は、メモリカードスロット１７ａに挿入されたフラッシュメモリ、スマートメディア、メモリースティック、ＳＤメモリカード（Ｓｅｃｕｒｅ  Ｄｉｇｉｔａｌ  ｍｅｍｏｒｙ  ｃａｒｄ）等の記録メディアとデータの入出力を行うためのインターフェースである。なお、メモリ接続部１７の数は、特に限定されない。
【００３３】
記録メディア移動機構１８は、移動手段であり、ＣＰＵ１１からの制御信号により、記録メディア貯蔵部１９に種類別に貯蔵されている各種記録メディアの中から特定された記録メディアを取り出して記録メディアに応じてディスクドライブ１６又はメモリ接続部１７の所定の装填位置に装填させる。また、データ記録後の記録メディアをメディア取り出し口２２に移動させる。
【００３４】
記録メディア貯蔵部１９は、貯蔵手段であり、複数種の記録メディアを種類別に貯蔵する。
【００３５】
金銭管理部２０は、図示しない金銭投入部、金銭識別部、金銭収納部、金銭出力部等を備えており、投入された硬貨や紙幣を識別して管理し、識別信号をＣＰＵ１１に出力する。
【００３６】
一時記憶領域２１は、ＨＤＤ、ＤＲＡＭ（Ｄｙｎａｍｉｃ  Ｒａｎｄｏｍ  Ａｃｃｅｓｓ  Ｍｅｍｏｒｙ）等により構成され、記録メディア２又は３から読み出されたデータや、変換された変換後データを一時的に記憶する。
【００３７】
次に、動作について説明する。
図４に、ＣＰＵ１１により実行されるデータ変換処理について説明する。
ここで、以下、変換前のデータを記録した記録メディアを原稿メディア、変換後のデータの出力先となる記録メディアを出力メディアと称する。
【００３８】
選択入力手段としてのステップＳ１において、表示パネル１５ａに表示されている再生機種選択画面から再生機器の機種情報が選択入力されると、選択された再生機器の機種情報がＲＡＭ１２に格納される。次いで、表示パネル１５ａに原稿メディアの装填を促す表示が表示され、原稿メディアがディスクドライブ１６又はメモリ接続部１７の対応する装填位置にセットされると（ステップＳ２）、原稿メディアに記録されたデータの情報が読み出され、原稿メディアの内容（ここでは、ファイル名とする）が表示パネル１５ａに表示される（ステップＳ３）。
【００３９】
ここで、図５に、ステップＳ１で表示パネル１５ａに表示される再生機種選択画面１５１の一例を示す。図５に示すように、再生機種選択画面１５１には、例えば「再生する機種を選択してください」という表示とともに「ＤＶＤプレーヤー」「ビデオＣＤプレーヤー」「Ｖｉｄｅｏゲーム機（Ａ社○○機種）」「Ｖｉｄｅｏゲーム機（Ａ社○○機種）」等の各種再生機器の機種情報が表示され、タッチパネルにより選択可能となっている。
【００４０】
図６に、ステップＳ２で表示パネル１５ａに表示されるメディア装填指示画面１５２の一例を示す。図６に示すように、表示パネル１５ａには、「原稿のメディアをドライブ／カードスロットにセットしてください。」という表示とともに、各原稿メディアの装填位置がイラスト表示される。これにより、ユーザが間違いなく各原稿メディアに応じた装填位置に原稿メディアをセットすることができる。
【００４１】
図４のステップＳ４において、表示パネル１５ａから出力対象ファイルが選択され、確定が指示入力されると（ステップＳ５；ＹＥＳ）、データ入力手段としてのステップＳ６において、原稿メディアから該当ファイルの記録データがディスクドライブ１６により、或いはメモリ接続部１７を介して読み出され、一時記憶領域２１に蓄積される（ステップＳ６）。他の原稿メディアのファイルを選択する指示が入力部１４から入力されると（ステップＳ７；ＹＥＳ）、処理はステップＳ２に戻り、ステップＳ２〜Ｓ７が繰り返し実行される。
【００４２】
入力部１４から他の原稿メディアのファイルを選択しない指示が入力されると（ステップＳ７；ＮＯ）、各ファイルの変換前データ形式が取得され（ステップＳ８）、記録媒体特定手段としてのステップＳ９において、ステップＳ１で選択された再生機器の機種情報に応じた出力メディアの種類及び出力するデータ形式が再生機器対応メディア・データ形式テーブル１３１に基づいて特定され、変換手段としてのステップＳ１０において、変換前のデータ形式を特定されたデータ形式に変換するためのデータ形式変換プログラムがデータ形式変換プログラム格納部１３２から読み出され、読み出されたプログラムに従ってデータの編集及びデータ形式の変換が行われ、一時記憶領域２１に記憶される（ステップＳ１０）。出力メディアがディスクである場合には（ステップＳ１１；ＹＥＳ）、出力先メディアに応じたトラックイメージが作成され、一時記憶領域２１に記憶される（ステップＳ１２）。
【００４３】
データ変換後、記録メディア移動機構１８により、特定された種類の出力メディアが記録メディア貯蔵部１９から対応する装填位置にセットされると（ステップＳ１３）、記録手段としてのステップＳ１４において、一時記憶領域２１に記憶された変換後のデータ、トラックイメージがディスクドライブ１６により又はメモリ接続部１７を介して再生機器で再生可能なフォーマットで出力メディアに記録される（ステップＳ１４）。そして、出力メディアがメディア取り出し口２２から出力される（ステップＳ１５）。
【００４４】
なお、出力メディアへのデータ記録方法としては、上述したように、出力メディアに記録するデータ全体のトラックイメージを作成した後に出力メディアに記録を行うようにしてもよいし、トラックイメージの作成と出力メディアへの記録を並列又は分割して処理するようにしてもよい。
【００４５】
また、出力メディアのデータが一時記憶領域２１のトラックイメージと一致しているか否かを確認する機能を追加し、トラックイメージの確認が行われた後、出力メディアがメディア取り出し口２２から出力されるようにするようにするとより好ましい。
【００４６】
また、出力メディアの枚数を入力部１４により入力できる構成とし、入力された枚数分の回数、図４のステップＳ１３〜１５を繰り返し実行することにより、複数枚の出力メディアを作成するようにしてもよい。また、複数のディスクドライブ１６やメモリカードスロット１７ａが設けられている場合には、同時に複数の出力メディアに書き込みを行うようにしてもよい。
【００４７】
上述したデータ変換処理の具体例としては、デジタルカメラで撮影された複数の静止画像データファイルが記録されたメモリカードを持ち込んだユーザが、出力対象ファイルとして複数の静止画像データファイルを選択し、再生機器の機種情報としてＤＶＤプレーヤを選択すると、選択された複数の静止画像データファイルから動画情報を生成し、ＤＶＤ−Ｖｉｄｅｏ形式に変換してＤＶＤ−Ｒメディア上に記録することが挙げられる。
【００４８】
また、ユーザが再生機器としてＶｉｄｅｏＣＤプレーヤを選択した場合は、選択された複数の静止画像データファイルを編集して動画情報に変換し、ＶｉｄｅｏＣＤ形式に変換してＣＤ−Ｒ上に記録することが挙げられる。
【００４９】
動画情報への変換方法としては、所定時間連続して同じ静止画像が再生されるように複数の静止画像データファイルを編集して動画情報に変換してもよいし、動画像における各静止画像データファイルが再生される間隔をユーザが任意に設定できるようにしてもよい。また、動画としての再生時間をユーザが設定できるようにしてもよい。
【００５０】
また、原稿のデータが動画データを含み、再生機器が静止画データのみ再生可能な場合、ユーザが動画上の任意のフレームを選択し、選択されたフレームで静止画像に変換することが望ましい。
【００５１】
その他の形式として、データの変換は行わず、再生機器が読み取り可能なデータ形式に変換するデータ変換手段としてのプログラムを、元のデータと一緒に記録し、再生機器が変換手段とするプログラムによってデータを変換し、再生する方法もある。
【００５２】
以上説明したように、情報変換装置１によれば、原稿メディアに記録されたデータに対して、再生機器の種類が選択されると、選択された機種の再生機器で再生可能な出力メディアの種類及びデータ形式を特定し、特定されたデータ形式に変換して特定された種類の出力メディア上に選択された機器の再生機器で再生可能なフォーマットで記録する。
【００５３】
従って、再生機器や記録メディア、データ形式に関する知識がないユーザであっても、再生したいデータを目的の再生機器で再生できるようになる。
【００５４】
なお、上記実施の形態における記述内容は、本発明に係る画像形成装置１の好適な一例であり、これに限定されるものではない。
【００５５】
例えば、上述したデータ変換処理においては、出力メディアは、記録メディア貯蔵部１９に貯蔵しているものを記録メディア移動機構１８により自動的に装填して変換データを記録することとして説明したが、下記の処理によりユーザが出力メディアを装填するようにしてもよい。
【００５６】
図４のステップＳ１１又は１２を実行後、出力メディアの種類が告知手段としての表示部１５により表示パネル１５ａ上に表示されて告知され、併せて出力メディアの装填位置を示すイラスト及びその装填をユーザに促す指示が表示パネル１５ａに表示される。ステップＳ１３においてユーザにより出力メディアが指示された装填位置に装填されると、記録媒体確認手段により装填された出力メディアの種類がステップＳ９で特定された種類の出力メディアと合致しているか否かが確認され、合致した場合に、ステップＳ１４においてその出力メディアに変換後データが記録される。装填された出力メディアの種類がステップＳ９で特定された種類の出力メディアと合致していないことが確認された場合は、告知手段としての表示部１５により表示パネル１５ａ上に記録媒体の種類が異なる旨が表示され、ユーザに告知される。
【００５７】
また、変換前のデータは、原稿メディアを介して入力することに限定されず、例えば、ＵＳＢ等の通信ケーブル接続、コネクタ接続、微弱無線や赤外線等を利用した無線通信により行う構成としてもよい。また、携帯電話機やＰＣ等から通信ネットワークを介して入力する構成としてもよい。
【００５８】
また、上記実施の形態で説明した再生機器、記録メディア、データ形式は一例であり、これに限定されない。また、出力メディアには変換後のデータと合わせて変換前のデータも記録するようにしてもよい。
【００５９】
また、情報変換装置１が各種出力メディアに記録されたデータを再生するプログラム、音声出力装置等を備える構成とし、出力メディアに記録されたデータの再生のシミュレーションを行うようにすることが望ましい。
【００６０】
その他、情報変換装置１を構成する各装置の細部構成及び細部動作に関しても、本発明の趣旨を逸脱することのない範囲で適宜変更可能である。
【００６１】
【発明の効果】
請求項１、５に記載の発明によれば、再生機器の機種情報が選択的に入力され、選択された機種の再生機器で再生しようとするデータが入力されると、入力されたデータを、再生機器の機種情報に基づいて、選択された機種の再生機器で再生可能な形式に変換し、変換されたデータを選択された機種の再生機器で再生可能な記録媒体に記録する。従って、再生機器や記録メディア、データ形式に関する知識のないユーザであっても、再生したいデータを容易に目的の再生機器で再生できるようになる。
【００６２】
請求項２、６に記載の発明によれば、選択的に入力された再生機器の機種情報に基づいて、選択された機種の再生機器で再生可能な記録媒体の種類を特定し、複数種の記録媒体を貯蔵する貯蔵手段から特定された種類の記録媒体を所定の装填位置に移動させ、その記録媒体に選択された機種の再生機器で再生可能な形式に変換されたデータを記録する。従って、再生したいデータが目的の再生機器で再生できる記録済みメディアを提供することができる。
【００６３】
請求項３、７に記載の発明によれば、選択的に入力された再生機器の機種情報に基づいて、選択された機種の再生機器で再生可能な記録媒体の種類を特定し、特定された記録媒体の種類を告知し、特定された記録媒体が所定の装填位置に装填された際に、その記録媒体に選択された機種の再生機器で再生可能な形式に変換されたデータを記録する。従って、情報変換装置で各種記録メディアを貯蔵していなくとも、ユーザに、再生したいデータが目的の再生機器で再生できる記録済みメディアを提供することができる。
【００６４】
請求項４、８に記載の発明によれば、所定の装填位置に装填された記録媒体の種類が特定された記録媒体の種類と合致しているか否かを確認し、合致していないことが確認された場合には告知を行う。従って、再生機器で再生不可能な記録メディアが誤って装填されていることをユーザに告知することができる。
【図面の簡単な説明】
【図１】本発明に係る情報変換装置１の外観を示す図である。
【図２】図１の情報変換装置１の機能的構成を示すブロック図である。
【図３】図２の記憶部１３に記憶される再生機器対応メディア・データ形式テーブル１３１のデータ格納例を示す図である。
【図４】図２のＣＰＵ１１により実行されるデータ変換処理を示すフローチャートである。
【図５】図２の表示部１５に表示される再生機種選択画面１５１の一例を示す図である。
【図６】図２の表示部１５に表示されるメディア装填指示画面１５２の一例を示す図である。
【符号の説明】
１    情報変換装置
１１    ＣＰＵ
１２    ＲＡＭ
１３    記憶部
１３１    再生機器対応メディア・データ形式テーブル
１３２    データ形式変換プログラム格納部
１４    入力部
１５    表示部
１６    ディスクドライブ
１７    メモリ接続部
１８    記録メディア移動機構
１９    記録メディア貯蔵部
２０    金銭管理部
２１    一時記憶領域
【図１】
2004289547.tif 000003
【図２】
2004289547.tif 000004
【図３】
2004289547.tif 000005
【図４】
2004289547.tif 000006
【図５】
2004289547.tif 000007
【図６】
2004289547.tif 000008